(57)【特許請求の範囲】
【請求項１】
左右一対の縦フレームと該左右一対の縦フレームの上端同士を連結する上部フレームを有するフレーム内に、加湿モジュールが組み込まれ、
前記加湿モジュール上でかつ前記上部フレームの前方において給水ヘッダが配置され、
前記給水ヘッダの両端の端部壁の上端奥コーナに形成された横長の長孔内に、前記縦フレームの上端に設けた固定用ビスが貫通され、
前記給水ヘッダが、前記加湿モジュールに給水する使用位置において、手で作動できるローレット付ビスで前記縦フレームに取り付けられ、
前記ローレット付ビスを手動にて取り外すことにより、前記使用位置にある前記給水ヘッダが、前記固定ビスを支点として前記上部フレームと干渉することなく上向きに回動開放されることにより該給水ヘッダの給水ノズルが露出されて、該給水ノズルが清掃できるようにされ、
前記長孔が、前記給水ヘッダが前記使用位置にあるときは前後方向に伸びると共に、前記回動開放された状態では上下方向に伸びるように形成されており、
前記回動開放された前記給水ヘッダが、該回動開放された状態のまま、前記長孔内で前記固定用ビスが相対移動しつつ下方移動された下方位置をとり得るようにされ、
前記下方位置とされた前記給水ヘッダは、前記上部フレームと当接することにより前記使用位置に向かう方向への回動が規制されて、前記回動開放された状態が維持される、
ことを特徴とする滴下浸透気化式加湿装置。
【請求項２】
前記縦フレームに、ビスにより固定されると共に固定位置が上下方向に調整可能とされた給水ヘッダ支持金具が取り付けられ、
上向き回動開放された前記給水ヘッダを、前記給水ヘッダ支持金具で支持できるようにしてある、
ことを特徴とする上記請求項１に記載の滴下浸透気化式加湿装置。
【請求項３】
前記加湿モジュールの上端後部に係止片が設けられ、
前記上部フレームに係止受けが設けられ、
前記係止受けに前記係止片を係止するようにしてある、
ことを特徴とする上記請求項１または請求項２に記載の滴下浸透気化式加湿装置。
【請求項４】
前記縦フレームの下方位置に給水ユニットが取り付けられ、
前記給水ヘッダに給水する給水ホースが、前記給水ユニットにワンタッチで連結解除できるようにしてある、
ことを特徴とする上記請求項１乃至３の何れかに記載の滴下浸透気化式加湿装置。
【発明の詳細な説明】
【技術分野】
【０００１】
本発明は、メンテナンス性を向上させた滴下浸透気化式加湿装置に関し、一般的には空調機組込用であるが、そうでなくともよい。
【背景技術】
【０００２】
空調機組込用滴下浸透気化式加湿装置は公知である（例えば特許文献１）。
【先行技術文献】
【特許文献】
【０００３】
【特許文献１】特開平１０−３１１５６９号公報
【発明の開示】
【発明が解決しようとする課題】
【０００４】
空調機内に組み込まれた滴下浸透気化式加湿装置は、上記の通り既に公知であり、また、この滴下浸透気化式加湿装置は空調機内に組み込まれないで単独で設置され使用されることもある。この滴下浸透気化式加湿装置は、加湿モジュールの上に給水ヘッダを配置し、給水ヘッダから加湿モジュールに供給浸透された水分を気化して加湿する構成となっている。
この滴下浸透気化式加湿装置では、これが一定期間使用されると、加湿モジュール及び給水ヘッダの何れにも、水のヌメリ、スケールが付着し、残留水の腐り等も発生し、給水ヘッダ詰まりなど給水不良及び異臭を発する場合がある。この点から、建築物における衛生的環境の確保に関する法律施行規則（略称：建築物衛生法）により、加湿装置の使用開始時及び使用期間中の１ヶ月以内ごとに１回の定期点検及び１年に１回の定期的な清掃が求められている。
【０００５】
従前、この滴下浸透気化式加湿装置は、空調機などの限られた狭い空間内に設置され空調機の通風や振動にも耐えるため確実な組立てや固定が必要であることから、特に工具を用いて給水ヘッダ、加湿モジュール等を取り付けてある。加湿モジュール、給水ヘッダ等を設置場所から工具を用いて取り外してこれを外に持ち出し、清掃をしていたため、手間がかかり面倒であるという課題があった。
本発明は、上記課題に鑑み、特に給水ヘッダを工具を用いることなく、設置場所から取り外してこれを外に持ち出す必要なく、その設置場所で清掃できる新規な滴下浸透気化式加湿装置を提供するものである。
【課題を解決するための手段】
【０００６】
上記課題を解決するため、本発明にあっては次のような解決手法を採択してある。すなわち、請求項１に記載のように、
左右一対の縦フレームと該左右一対の縦フレームの上端同士を連結する上部フレームを有するフレーム内に、加湿モジュールが組み込まれ、
前記加湿モジュール上でかつ前記上部フレームの前方において給水ヘッダが配置され、
前記給水ヘッダの両端の端部壁の上端奥コーナに形成された横長の長孔内に、前記縦フレームの上端に設けた固定用ビスが貫通され、
前記給水ヘッダが、前記加湿モジュールに給水する使用位置において、手で作動できるローレット付ビスで前記縦フレームに取り付けられ、
前記ローレット付ビスを手動にて取り外すことにより、前記使用位置にある前記給水ヘッダが、前記固定ビスを支点として前記上部フレームと干渉することなく上向きに回動開放されることにより該給水ヘッダの給水ノズルが露出されて、該給水ノズルが清掃できるようにされ、
前記長孔が、前記給水ヘッダが前記使用位置にあるときは前後方向に伸びると共に、前記回動開放された状態では上下方向に伸びるように形成されており、
前記回動開放された前記給水ヘッダが、該回動開放された状態のまま、前記長孔内で前記固定用ビスが相対移動しつつ下方移動された下方位置をとり得るようにされ、
前記下方位置とされた前記給水ヘッダは、前記上部フレームと当接することにより前記使用位置に向かう方向への回動が規制されて、前記回動開放された状態が維持される、
ようにしてある。
【０００７】
また、本発明滴下浸透気化式加湿装置は、
前記縦フレームに、ビスにより固定されると共に固定位置が上下方向に調整可能とされた給水ヘッダ支持金具が取り付けられ、
上向き回動開放された前記給水ヘッダを、前記給水ヘッダ支持金具で支持できるようにしてある、
ことを特徴とする（請求項２対応）。
【０００８】
また、本発明滴下浸透気化式加湿装置は、
前記加湿モジュールの上端後部に係止片が設けられ、
前記上部フレームに係止受けが設けられ、
前記係止受けに前記係止片を係止するようにしてある、
ことを特徴とする（請求項３対応）。
加えて、本発明滴下浸透気化式加湿装置は、
前記縦フレームの下方位置に給水ユニットが取り付けられ、
前記給水ヘッダに給水する給水ホースが、前記給水ユニットにワンタッチで連結解除できるようにしてある、
ことを特徴とする（請求項４対応）。
【発明の効果】
【０００９】
請求項１に記載された本発明滴下浸透気化式加湿装置は、ローレット付ビスを手動にて取り外すことによりこの給水ヘッダを上向きに回動開放して、給水ヘッダの給水ノズルを露出し、その場で清掃できるようにしたことを特徴とするから、工具を用いることなく、その場で、即ち給水ヘッダを設置場所から離れた場所に移すことなく、その場で給水ノズル等の清掃ができる効果がある。
【００１０】
また、給水ヘッダを回動開放した状態で、長孔と固定用ビスとの関係で給水ヘッダを下方に落とし込むことにより、回動開放した状態でもって給水ヘッダを一時的に固定させておくことができ、清掃作業を楽に行うことができる効果がある。
【００１１】
請求項２に記載された本発明滴下浸透気化式加湿装置は、給水ヘッダ支持金具を利用して、長孔が機能しない場合でも給水ヘッダを一時的に固定させ清掃作業を楽に行うことができる効果がある。
【００１２】
請求項３に記載された本発明滴下浸透気化式加湿装置は、加湿モジュールの上端後部に設けた係止片を、上部フレームに設けた係止受けに係止することから、上記給水ヘッダの回動開放作業時において、加湿モジュールが前に傾いて倒れることなく、作業を安定して行うことができる効果がある。また、この加湿モジュールにおいても、これを外に持ち出すことなく、その設置場所で清掃できる効果がある。
【００１３】
請求項４に記載された本発明滴下浸透気化式加湿装置は、給水ヘッダに給水する給水ホースを給水ユニットにワンタッチで連結解除できるようにしてあることから、給水ホースの水抜き及び清掃も楽に行うことができる効果がある。
【図面の簡単な説明】
【００１４】
【図１】本発明滴下浸透気化式加湿装置の正面図である。
【図２】本発明滴下浸透気化式加湿装置の給水ヘッダをローレット付ビスを手で作動して取り外し、給水ヘッダを縦フレームから外して分離してある状態を示す斜視図である。
【図３】図２のＡ部分を拡大して示した斜視図である。
【図４】図３の部分を組み付けた状態を示す斜視図である。
【図５】図４の部分を分解して示す斜視図である。
【図６】図１のＡ−Ａ線部分に沿う断面図である。
【図７】図６の上端部Ｂ即ち給水ヘッダの部分の拡大断面図である。
【図８】図７の給水ヘッダを回動開放した状態の拡大断面図である。
【図９】図８に示す回動開放した給水ヘッダを落し込んで一時的に固定させた状態の拡大断面図である。
【図１０】回動開放した給水ヘッダを給水ヘッダ支持金具で支持する正面図である。
【発明を実施するための形態】
【００１５】
以下図面に示した実施例により本発明の詳細を説明する。
図中符号１が加湿モジュールで、図示した実施例では図１に示すように横２列及び縦２列を一体的に並設して左右の縦フレーム２，２間に組み込んである。縦フレーム２は、断面コ字形状をしており、フレーム本体３の前後に前張り出し部４を、後部に後張り出し部５を有する。
左右の縦フレーム２，２の上端間に上部フレーム６を架設してある。この上部フレーム６はその左右端に前向きの張り出し部７を有し、この張り出し部７にネジ孔部８を設け、縦フレーム２の上端に形成した貫通孔９を貫通した固定用ビス１０をネジ孔部８にネジ込んで上部フレーム６を縦フレーム２，２の上端間に架設固定してある。固定用ビス１０は、ネジ孔部８にネジ込んだ状態でさらに先端がネジ孔部８より突出する構成としてある。
【００１６】
上記加湿モジュール１の上に給水ヘッダ１１を配置してある。図２及び図３では、給水ヘッダ１１を上記フレーム６から分離して示してあるが、現実には給水ヘッダ１１は上部フレーム６に接して取り付けられる。そして、給水ヘッダ１１は、上部フレーム６の前方に位置されている（図２、図５、図７等を参照）。給水ヘッダ１１は、図７乃至図９に示すように給水パイプ１２に多数の給水ノズル１３を設けてあり、この給水ノズル１３から加湿モジュール１に滴下給水するようにしてある。給水ヘッダ１１は上記給水パイプ１２にヘッダケース１４を被せて構成してある。給水ヘッダ１１の両端には端部壁１５を設けてあり、この端部壁１５には横長の長孔１６を形成し、望ましくはこの長孔１６は端部壁１５の上端奥コーナーに形成してある。そしてこの長孔１６に上記した固定用ビス１０の先端を貫通し、この固定用ビス１０が給水ヘッダ１１を支持するようにしてある。
【００１７】
給水ヘッダ１１の端部壁１５にＬ字形に屈曲した支持張り出し片１７をネジ１８により固定してあり、この支持張り出し片１７の前端に下向きの支持片１９を設け、この支持片１９に調整長孔２０を形成し、この調整長孔２０にローレット付ビス２１を貫通し、縦フレーム２の前張り出し部４に設けたネジ孔２２にネジ込んで給水ヘッダ１１を縦フレーム３の前張り出し部４の上端に固定してある。ローレット付ビス２１にしたのは、工具を用いることなく手で操作できるようにしたためである。
【００１８】
縦フレーム２の下方位置に給水ユニット２３を取り付けてあり、この給水ユニット２３に、給水ヘッダ１１に給水する給水ホース２４を連結してあるが、給水ホース２４を給水ユニット２３にワンタッチで連結及び連結解除できるようにカプラ状のジョイント２５を用いてある。即ち、ワンタッチで給水ホース２４を給水ユニット２３から連結解除することにより、給水ヘッダ１１内の残水を簡単に抜くことができる。
また、給水ホース２４の上端は給水ヘッダ１１の給水パイプ１２に連結してあり、この給水ホース２４は柔軟な材料で構成されており、後述する給水ヘッダ１１の上向き回動の際にも、この柔軟性によって給水ヘッダ１１の上向き回動に何らの支障もない。
【００１９】
図７乃至図９に示すように、加湿モジュール１の上端後部には、斜め下向きに係止片２６を設けてあり、一方上部フレーム６の下部には斜め上向きの係止受け２７を設けてあり、加湿モジュール１を上部フレーム６及び縦フレーム２内に配置する際、加湿モジュール１の係止片２６を上部フレーム６の係止受け２７に係止して配置してある。これにより後述するように給水ヘッダ１１を回動開放する際に加湿モジュール１が前に傾いて倒れることなく、安定、安全な作業ができる。
図１０に示すように、縦フレーム２の上端の前張り出し部４に上下動可能にした給水ヘッダ支持金具２８を設けてあり、上下動の適宜位置でビス２９によりネジ込み固定するようにしてある。この給水ヘッダ支持金具２８は、後述する給水ヘッダ１１を回動開放した状態を支持する金具である。
【００２０】
本発明の滴下浸透気化式加湿装置は、図１及び図７に示す使用位置では、給水ヘッダ１１が給水パイプ１２の給水ノズル１３が垂直下向きの状態であり、給水ホース２４から供給された水が給水ノズル１３から加湿モジュール１に滴下供給され、加湿モジュール１で気化して加湿する。なお、上記使用位置では、長孔１６は前後方向（図７左右方向）に伸びており、固定用ビス１０はこの長孔１６のうち上部フレーム６に近い側の端部に位置されている。
給水ヘッダ１１、給水パイプ１２、給水ノズル１３及び加湿モジュール１を清掃する際には、先ず工具を用いることなくローレット付ビス２１，２１を手で操作して外し、給水ヘッダ１１を自由にする。この際給水ヘッダ１１は、その端部壁１５の長孔１６により縦フレーム２に固定された固定用ビス１０により支持されている。この状態でも加湿モジュール１は、その上端の係止片２６が上部フレーム６の係止受け２７に安定して係止されているから、加湿モジュール１が前方に傾斜して倒れるおそれなく、作業者は両手を自由に使って安定、安全に作業できる。
【００２１】
次に、図７に示す使用位置から給水ヘッダ１１を上向きに回動開放すると、つまり給水ヘッダ１１を固定用ビス１０を支点として上向きに充分に回動させると、給水ヘッダ１１は上部フレーム６と干渉することなく図８に示す回動開放状態となる。この回動開放状態では、長孔１６は上下方向に伸びるようにされる。よって、この回動開放状態を維持したまま、給水ヘッダ１１を下向きに落し込むと、固定用ビス１０が端部壁１５の長孔１６内で上方に相対変位しつつ、給水ヘッダ１１が図９に示す下方位置とされる。この下方位置では、給水ヘッダ１１は、上部フレーム６に支持され（つまり上部フレーム６に当接して使用位置へ向けての回動が規制される）、手放しにおいても安定した回動開放状態が維持される。
そこで作業者は給水ヘッダ１１をフレームから外すことなく給水ヘッダ１１、給水パイプ１２及び給水ノズル１３を清掃することができる。同時に加湿モジュール１も縦フレーム２及び上部フレーム６に配置したままで清掃することができる。もっとも、この加湿モジュール１は上部フレーム６から取り外して清掃し易い別の場所に移し清掃や洗浄してもよい。
このように本発明では、作業者が工具を使うことなく、滴下浸透気化式加湿装置の給水ヘッダを、その取り付け位置で回動開放し、安定して、安全に清掃作業ができる大きな効果を有する。
【符号の説明】
【００２２】
１ 加湿モジュール
２ 縦フレーム
３ フレーム本体
４ 前張り出し部
５ 後張り出し部
６ 上部フレーム
７ 張り出し部
８ ネジ孔部
９ 貫通孔
１０ 固定用ビス
１１ 給水ヘッダ
１２ 給水パイプ
１３ 給水ノズル
１４ ヘッダケース
１５ 端部壁
１６ 長孔
１７ 支持張り出し片
１８ ネジ
１９ 支持片
２０ 調整長孔
２１ ローレット付ビス
２２ ネジ孔
２３ 給水ユニット
２４ 給水ホース
２５ カプラ状のジョイント
２６ 係止片
２７ 係止受け
２８ 給水ヘッダ支持金具
２９ ビス
【図１】
0005519598.tif 000002
【図２】
0005519598.tif 000003
【図３】
0005519598.tif 000004
【図４】
0005519598.tif 000005
【図５】
0005519598.tif 000006
【図６】
0005519598.tif 000007
【図７】
0005519598.tif 000008
【図８】
0005519598.tif 000009
【図９】
0005519598.tif 000010
【図１０】
0005519598.tif 000011